(57)【要約】【課題】  本発明は、水回り器具のサイフォン排水システムテムを採用することによる新たな配管敷設方法を提案するものであり、各配管の敷設作業が任意の順序で行うことができる敷設方法である。【解決手段】  器具排水管と、給水・給湯管やガス管等の他の配管類との敷設にあって、前記器具排水管がサイフォン力が付与されて排水立管に合流される器具排水管とし、他の排水管類との間で任意の順で敷設し、この器具排水管が他の配管類を跨ぐ構成とした配管敷設方法。１‥排水立管、２‥水回り器具、３‥器具排水管、４‥継手、５‥床スラブ、１１‥給水管、１２‥給湯管、Ｈｐ‥排水口水頭、Ｈｓ‥サイフォン水頭。【選択図】  図１
2006241709.tif 000002
【特許請求の範囲】
【請求項１】
器具排水管と、給水・給湯管やガス管等の他の配管類との敷設にあって、前記器具排水管がサイフォン力が付与されて排水立管に合流される器具排水管とし、他の配管類との間で任意の順で敷設し、この器具排水管が他の配管類を跨ぐ構成としたことを特徴とする配管敷設方法。
【請求項２】
器具排水管を床面より落差をもって排水立管に合流させ、サイフォン水頭ポテンシャルエネルギ−によってサイフォン力を付与した器具排水管である請求項１記載の配管敷設方法。
【発明の詳細な説明】
【技術分野】
【０００１】
本発明はサイフォン排水システムを用いた配管敷設方法を提案するものである。
【背景技術】
【０００２】
従来の配管敷設方法にあっては、床スラブ上に給水・給湯、排水、ガス等の配管を行う際、排水管を最初に施工していた。これは排水管に予め所定の勾配を付ける必要があるためである。このため、給水・給湯、ガス管を配管する際には、既に排水管が敷設されており、この排水管との交差部分はその隙間を通すように敷設していた。このように、勾配が付けられた排水管が敷設されているため、他の配管工事作業が煩雑となり、配管が必ずしも最短距離で敷設されるものではなかった。
【０００３】
更に、作業工程において、排水管敷設工程が完了しだい、給水・給湯配管敷設工程に入るため、各工程が直列に配置されており、全作業工程として時間がかかっていた。即ち、排水管敷設工程が完了しないと他の配管敷設工程に入ることができず、場合によっては、排水管敷設工程の完了までの時間が長くなってしまうという問題点があった。
【０００４】
さて、水回り器具の排水システムとしてサイフォン力を利用したシステムが新たに提案されている（特許文献１）。このサイフォン排水システムは水回り器具からの排水システムとして最も優れたものであり、一つの水回り器具からの排水は排水過程において排水立管までの間に他の器具排水管と合流する部位がなく、しかも排水はサイフォン力を利用するため排水管に特別勾配の設定が不要であり、逆に、若干の上り勾配があっても排水が十分可能となったものである。更には、このために管材は２０Ａ程度の比較的細い管材でよく、更に又、かかる管材に制限はなく、例えばポリブテン管等の可撓管が最適である。
【０００５】
【特許文献１】特開２０００−２９７４４７号公報
【０００６】
サイフォン力によるサイフォン排水システムの概要を図２に示すが、各階を貫く排水立管１と、各階の水周り器具２から導かれる器具排水管３と、排水立管１へ器具排水管３を接続する合流部継手４とからなる排水システムであって、器具排水管３を合流することなく排水立管１へ導くもので、前記合流部継手４への合流レベルを排水階床スラブ５のレベルより下げ、器具排水管３内の流体を排水立管１内に合流させるシステムである。
【０００７】
そして、水回り器具２からの排水の流れについて言えば、排水口水頭Ｈｐのポテンシャルエネルギ−を利用して無勾配の器具排水管３へ水を流し、次いで、サイフォン水頭Ｈｓのポテンシャルエネルギ−にて器具排水管３内の水を誘導し、排水立管１へ導くシステムである。このため、器具排水管３に勾配がなくとも、逆に若干の逆勾配があったとしてもＨｓのポテンシャルエネルギ−によって器具排水管３内の水にサイフォン力を与えることができたものである。
【発明の開示】
【発明が解決しようとする課題】
【０００８】
本発明は、水回り器具のサイフォン排水システムテムを採用することによる新たな配管敷設方法を提案するものであり、各配管の敷設作業が任意の順序で行うことができる敷設方法を開発したものである。
【課題を解決するための手段】
【０００９】
本発明の要旨は、器具排水管と、給水・給湯管やガス管等の他の配管類との敷設にあって、前記器具排水管がサイフォン力が付与されて排水立管に合流される器具排水管とし、他の配管類との間で任意の順で敷設し、この器具排水管が他の配管類を跨ぐ構成とした配管敷設方法にかかるものである。
【００１０】
そして、器具排水管は、好ましくは床面より落差をもって排水立管に合流させ、サイフォン水頭ポテンシャルエネルギ−によってサイフォン力を付与した器具排水管である。
【発明の効果】
【００１１】
従来の配管敷設法では、勾配を付ける排水管を優先して敷設していたが、本発明ではどの設備配管からも敷設することができるようになったものである。そのため、排水管の隙間を通すような煩雑な作業が低減したものであり、更に、各部屋ごとに夫々の衛生設備配管がほぼ同時に施工できるため、配管敷設工程の短縮が可能となったものである。
【発明を実施するための最良の形態】
【００１２】
従来の配管敷設にあって、給水・給湯、ガス等はいずれも加圧状態で送られるものであり、これらの配管類は敷設される際の管勾配はほとんど考慮する必要がない。しかるに、器具排水のみは管勾配による自然流下による排水であって、このため、器具排水管は所定の勾配をもって最初に敷設されるのが常である。以下、排水管と給水管のみを例として言えば、例えば集合住宅における従来の敷設法では、各戸とも全ての排水管敷設→給水管敷設の順で配管工程がなされることになる。敷設作業時間が著しく長くなり、各作業での待ち時間があり、配管敷設完了まで長時間を要することともなっている。
【００１３】
本発明はかかる欠点を改良するために器具排水をサイフォン方式としたものであり、他の配管類と同様に排水管自体に排水にサイフォン力を与え、いわば強制排水するシステムを取り入れたものである。これによって他の配管類、即ち、通常の給水・給湯、ガスと同様に取り扱うことが可能となったものである。尚、サイフォン方式以外、強制排水としてはポンプ等によって圧送排水させる方法とすることもできる。
【００１４】
即ち、器具排水管に勾配を付けることなく床スラブ上に配管が可能となったものであり、勿論若干の逆勾配でも十分に排水が可能となり、このため、配管の順序を考慮する必要は全くなくなったものである。言い換えれば、他の配管と交差する際、器具排水管が他の配管類を跨いだ場合でも十分に排水機能を発揮することが可能となったものである。
【００１５】
従って、本発明の配管システムを採用することにより、各配管が比較的最短距離をもって配管が可能となったものであり、この面での作業性の容易性と共に、配管システム全体として安価な配管システムとなったものである。
【実施例】
【００１６】
以下、配管の具体例を図１をもって説明すると、床スラブ５上に給水管１１及び給湯管１２がほぼ平行して敷設され、これに対して直角方向に器具排水管３がこれらに跨がって敷設された例である。給水管１１及び給湯管１２は加圧された水や温水が流れるが、器具排水管３には、サイフォン力が付与されているものである。即ち、排水管３の排水力の付与は、排水立管１の近くで、器具排水管３をそのまま床スラブ５を例えば貫通して垂下させ、水頭Ｈｐをもって階下の階にて合流継手４にて合流されるものである。
【００１７】
器具排水管３内の排水に対しては、床スラブ５上に横置きされたこの排水管３内に徐々に溜るようになり、この排水が垂下する部位に至ると急に下方に落下し、これによって排水管３内の排水全体が引っ張られて移動するサイフォン現象を伴うものである。
【００１８】
この例では、給水管１１、給湯管１２（いずれも１３Ａ）、更には器具排水管３はポリブテン管（２０Ａ）であり、可撓性があるため床スラブ５上に自由に配管敷設できるものである。尚、管径は任意に選択できることは言うまでもない。
【００１９】
このように、器具排水管３にあっては、従来の場合には器具排水管３を優先した敷設が行われていたが、器具排水管３に排水能力をもたらしたため配設の順序を変更が可能となったものである。即ち、上記例のように例えば給水管を跨いでも、或いは他の障害物を跨ぐことがあっても排水は確実に行われることとなり、その敷設施工性は極めて簡便なものとなった。
【産業上の利用可能性】
【００２０】
以上の通り、従来では器具排水管が優先となって敷設されていたが、どの設備配管からも敷設することができるようになった。そのため、排水管の隙間を通すような煩雑な作業が低減した。更に、各部屋ごとに夫々の衛生設備配管がほぼ同時に施工できるため、工程の短縮が可能となった。
【図面の簡単な説明】
【００２１】
【図１】図１はサイフォン排水システムの概要である。
【図２】図２は本発明の配管類の敷設例である。
【符号の説明】
【００２２】
１‥排水立管、
２‥水回り器具、
３‥器具排水管、
４‥継手、
５‥床スラブ、
１１‥給水管、
１２‥給湯管、
Ｈｐ‥排水口水頭、
Ｈｓ‥サイフォン水頭。
【図１】
2006241709.tif 000003
【図２】
2006241709.tif 000004